(57)【要約】【課題】  搬送中の原稿からペーパガイドに落下した紙粉等の塵埃が、ペーパガイドの内部に侵入したりプラテンガラス上に落下したりすることがなく、該塵埃の除去が容易な画像読取装置を提供する。【解決手段】  原稿トレイ２上の原稿を、横向きＵ字状の搬送路３の入口付近に配設された給紙ローラ５により搬送路３へ送り込み、搬送ローラ６により読取位置Ｐ１，Ｐ２へ搬送して画像読取りを行い、搬送路３の出口近傍に配設された排紙ローラ７により排紙トレイ４へ排出するコピー・ファクシミリ複合機１において、搬送路３の内側ガイド面を構成するペーパガイド３０の上部ガイド面３１０に、搬送方向と直交する方向に凹陥溝３１２が形成され、該凹陥溝３１２に前記搬送ローラ６が収装されたものである。【選択図】図３
2005101685.tif 000002
【特許請求の範囲】
【請求項１】
原稿トレイ上の原稿を、横向きＵ字状の搬送路の入口付近に配設された給紙ローラにより搬送路へ送り込み、搬送ローラにより読取位置へ搬送して画像読取りを行い、搬送路の出口近傍に配設された排紙ローラにより排紙トレイへ排出する画像読取装置において、
前記搬送路の内側ガイド面を構成するペーパガイドの上部ガイド面に、搬送方向と直交する方向に凹陥溝が形成され、該凹陥溝に前記搬送ローラが収装されたことを特徴とする画像読取装置。
【請求項２】
前記搬送ローラは、ローラ軸に複数のローラ本体が軸方向に所定間隔で固定されてなり、該搬送ローラのローラ本体間に対応する前記凹陥溝の各位置の上流壁及び下流壁から溝幅を狭める方向に紙送りリブが夫々突設されたことを特徴とする請求項１記載の画像読取装置。
【請求項３】
前記紙送りリブが、ペーパガイドの内側ガイド面が案内する各種サイズの原稿の幅方向端部を支持する位置に設けられた請求項２記載の画像読取装置。
【発明の詳細な説明】
【技術分野】
【０００１】
本発明は、スキャナ、ファクシミリ、複写機等において、読取位置に原稿を搬送して画像読取りを行う画像読取装置に関する。
【背景技術】
【０００２】
スキャナ、ファクシミリ、複写機等においては、複数枚の原稿を順次給紙するオート・ドキュメント・フィーダー（以下「ＡＤＦ」という。）等による画像読取装置が装備されているものがあり、該画像読取送装置によれば、原稿トレイ上に載置された複数枚の原稿を連続的且つ自動的に読取位置へ搬送して画像読取りができる（例えば特許文献１、特許文献２等）。
【０００３】
図８は、ＡＤＦを装備する従来のコピー・ファクシミリ複合機９００の外観を示す概略斜視図であるが、図に示すように、コピー・ファクシミリ複合機９００は、読み取るべき原稿を載置するプラテンガラスが配設された読取載置台９０１と、該原稿をプラテンガラス上に押圧して固定する原稿押えカバー９０２と、原稿の読取り開始等を入力するための操作パネル９０３と、記録用紙に画像を記録する画像記録部、画像を電送するための送信部等を内蔵した本体９０４と、読み取った画像を記録するための記録用紙を供給する給紙カセット９０５とを具備してなる。
【０００４】
図９は、前記コピー・ファクシミリ複合機９００の原稿押えカバー９０２の断面構造を示したものであるが、図に示すように、原稿トレイ９０６から画像読取面を経て排紙トレイ９０７へ通ずる搬送路は、横向きＵ字状の外側ガイド面と内側ガイド面とから構成されており、該外側ガイド面は、例えば、原稿押えカバー９０２のハウジングにより形成され、該内側ガイド面は、原稿押えカバー９０２内に配置されたペーパガイド９０８により形成されている。該ペーパガイド９０８には、搬送ローラ９０９が適宜配設されており、各搬送ローラ９０９の対向位置には従動ローラ９１０が圧接状態で配置されている。これら各搬送ローラ９０９及び従動ローラ９１０によって原稿をニップし、搬送ローラ９０９の回転により該原稿が搬送路に沿って搬送されるようになっている。前記原稿トレイ９０６から搬送路へ繰り込まれた原稿は、その搬送過程において読取位置Ｐ１を通過する際に、読取載置台９０１内に設けられたＣＣＤ等の読取ユニット９１１により原稿の一方の面の画像読取りが行われ、更にその下流の読取位置Ｐ２において、原稿押えカバー９０２に配設されたＣＩＳ等の読取ユニット９１２によって原稿の他方の面の画像読取りができるようになっている。
【０００５】
【特許文献１】特開平１−１９４６５８号公報
【特許文献２】特願２００２−１２００７４号
【発明の開示】
【発明が解決しようとする課題】
【０００６】
図１０は、ペーパガイド９０８の上部ガイド面に配設された前記搬送ローラ９０９を示すものであるが、該搬送ローラ９０９は、ローラ軸９１３にローラ本体９１４が軸方向に所定間隔で固定されてなり、図に示すように、前記ペーパガイド９０８の上部ガイド面９１５において、各ローラ本体９１４に対応する位置に開口９１６を夫々形成して、該開口９１６からローラ本体９１４のローラ面の一部を上部ガイド面９１５に露呈させている。これにより、上部ガイド面９１５に沿って搬送された原稿が、該搬送ローラ９０９と従動ローラ９１０（不図示）とでニップされて搬送される。
【０００７】
一般に、搬送中の原稿からは、紙紛やトナー、消しゴムカス等の様々な塵埃が落下することがあるが、上部ガイド面９１４において原稿から落下した紙粉等が開口９１６に侵入し、ペーパガイド９０８内部の駆動機構に付着したり、読取位置Ｐ１に落下することがあり、更に、読取位置Ｐ１のプラテンガラス上の紙粉が原稿に再付着して、読取位置Ｐ２まで運ばれることもある。その結果、プラテンガラスやプラテンローラが紙粉等で汚され、読取画像に搬送方向の黒スジが入る等の画像の劣化が生じるという問題がある。また、ペーパガイド９０８は原稿押えカバー９０２のハウジングにネジ止め等により固定されているので、ペーパガイド９０８の内部に付着又は蓄積した紙粉等を除去することは、プラテンガラスやプラテンローラの清掃のような通常の定期的なメンテナンスでは困難な作業である。
【０００８】
本発明は、かかる課題を解決すべくなされたものであり、搬送中の原稿からペーパガイドに落下した紙粉等の塵埃が、ペーパガイドの内部に侵入したりプラテンガラス上に落下したりすることがなく、該塵埃の除去が容易な画像読取装置を提供することを目的とする。
【課題を解決するための手段】
【０００９】
本発明は、原稿トレイ上の原稿を、横向きＵ字状の搬送路の入口付近に配設された給紙ローラにより搬送路へ送り込み、搬送ローラにより読取位置へ搬送して画像読取りを行い、搬送路の出口近傍に配設された排紙ローラにより排紙トレイへ排出する画像読取装置において、前記搬送路の内側ガイド面を構成するペーパガイドの上部ガイド面に、搬送方向と直交する方向に凹陥溝が形成され、該凹陥溝に前記搬送ローラが収装されたことを特徴とする。
【００１０】
また、本発明は、前記画像読取装置において、前記搬送ローラが、ローラ軸に複数のローラ本体が軸方向に所定間隔で固定されてなり、該搬送ローラのローラ本体間に対応する前記凹陥溝の各位置の上流壁及び下流壁から溝幅を狭める方向に紙送りリブが夫々突設されたことを特徴とする。また、前記紙送りリブは、ペーパガイドの内側ガイド面が案内する各種サイズの原稿の幅方向端部を支持する位置に設けられることが好適である。
【発明の効果】
【００１１】
本発明によれば、ペーパガイドの上部ガイド面に凹陥溝を形成して搬送ローラを収装することにより、搬送中の原稿からペーパガイドに落下した紙粉等の塵埃は凹陥溝に蓄積され、ペーパガイドの内部に侵入したりプラテンガラス上に落下したりすることがないので、紙粉等による読取画像の劣化が生じない。また、前記搬送ローラを取り外すことにより凹陥溝に蓄積された塵埃を容易に除去することができる。
【００１２】
また、本発明によれば、搬送ローラのローラ本体間に対応する位置に紙送りリブを突設したので、搬送される原稿の先端が前記凹陥溝の隅部に当接することなく上部ガイド面に沿って案内され、紙詰まりや原稿の破損を防止できる。また、かかる効果は、紙送りリブを、ペーパガイドの内側ガイド面が案内する各種サイズの原稿の幅方向端部を支持する位置に設けることにより顕著となる。
【発明を実施するための最良の形態】
【００１３】
図１は、本発明の実施の形態に係る画像読取装置であるコピー・ファクシミリ複合機１の上部の断面を示す図である。図に示すように、該コピー・ファクシミリ複合機１は、複数枚の原稿を積重状態で担持する原稿トレイ２と、横向きＵ字状の搬送路３と、搬送後の原稿を積重状態で担持する排紙トレイ４と、原稿トレイ２上の原稿を搬送路３へ送り込む給紙ローラ５と、搬送路３において原稿をニップして搬送する搬送ローラ６と、搬送路３の出口付近に設けられた排紙ローラ７と、読取位置Ｐ１において原稿の画像読取りを行うＣＣＤ読取ユニット８と、読取位置Ｐ２において原稿の画像読取りを行うＣＩＳ読取りユニット９と、を具備してなる。なお、図には示していないが、本コピー・ファクシミリ複合機１は、原稿の読取り開始等を入力するための操作パネル、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。
【００１４】
コピー・ファクシミリ複合機１において、原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際にＣＣＤ読取ユニット８により原稿の表面の画像が読み取られ、更に搬送路３を搬送されて読取位置Ｐ２を通過する際にＣＩＳ読取ユニット９により原稿の裏面の画像が読み取られ、その後、原稿トレイ２の下方の排紙トレイ４へ排出されるようになっている。なお、本コピー・ファクシミリ複合機１による原稿の両面読取りは任意であり、片面読取りのみ行うことも勿論可能である。また、本コピー・ファクシミリ複合機１によって搬送される原稿は、コピーやプリンタに汎用される各種サイズの所謂普通紙の他、搬送路を通過可能な厚みであって搬送路３に沿って湾曲可能なものである。
【００１５】
原稿トレイ２は、図２に示すように、原稿押えカバー１０の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図には示していないが、原稿トレイ２には、原稿の幅方向の位置を規制して原稿の斜め送りを防止する可変式のガイドが設けられている。
【００１６】
搬送路３は、原稿トレイ２からは排紙トレイ４へ横向きＵ字状に形成されており、その折返し部分の直下流で読取位置Ｐ１となるプラテンガラス１１上を通過し、該読取位置Ｐ１の下流側の読取位置Ｐ２を通過して排紙トレイ４へ連通している。該搬送路３は、原稿押えカバー１０内に配設されたペーパガイド３０が内側ガイド面を構成し、原稿押えカバー１０のカバー本体１０ａ及びＡＤＦカバー１０ｂが外側ガイド面を構成して、所定の厚みの原稿が通過可能なものとなっている。なお、搬送路３を構成する外側ガイド部材は、本実施の形態で示したカバー本体１０ａ等に限定されるものではなく、本発明の要旨を変更しない範囲で他の形態をとり得るが、原稿押えカバー１０のカバー本体１０ａ及びＡＤＦカバー１０ｂが外側ガイド部材も兼ねるようにプラスチック材を用いて一体成形することにより、部品点数が削減され組付けも容易となるので好ましい。
【００１７】
前記ペーパガイド３０は、図３に示すように、横向きＵ字状の搬送路を構成するペーパガイド本体３１と、該ペーパガイド本体３１の両側に設けられたサイドフレーム３２とがプラスチック材により一体成形されてなり、該ペーパガイド本体３１の折返し部分より下流側に、ガイドカバー３３，３４及びプラテンガイド３５が配設されてなるものである。
【００１８】
ペーパガイド本体３１及びサイドフレーム３２のプラスチック材は、金型を用いて一体成形可能な合成樹脂であり、例えばＡＢＳやハイインパクトポリスチレン、これらにガラス繊維等の補強材を添加したものを用いることができる。ペーパガイド本体３１は、その上面の上流側が前記原稿トレイ２と同様に傾斜し、且つ下流側が下方へ向かって湾曲した形状の上部ガイド面３１０を有しており、該上部ガイド面３１０が、横向きＵ字状の搬送路の折返し部より上流側の内側ガイド面を構成する。該上部ガイド面３１０の湾曲部分には紙送り用リブ３１１が幅方向に列設されており、上部ガイド面３１０を摺動しながらＵターンする原稿との接触面を少なくして該原稿に与える摩擦力を軽減している。
【００１９】
また、前記上部ガイド面３１０には、原稿の搬送方向と直交する方向に凹陥溝３１２が形成されている。該凹陥溝３１２は、上部ガイド面３１０に配設する搬送ローラ６を収納するために、上部ガイド面３１０とともにペーパガイド３０に一体的に形成されており、搬送ローラ６の外形より若干大きな断面Ｕ字状の溝である。搬送ローラ６は、図に示すように、ローラ軸６０に複数のローラ本体６１が軸方向に所定間隔で固定されてなるものであり、例えば、金属製のローラ軸にシリコン製やＥＰＤＭ（Ｅｔｈｙｌｅｎｅ−Ｐｒｏｐｙｌｅｎｅ−Ｄｉｅｎｅ  Ｍｅｔｈｉｌｅｎｅ  ｌｉｎｋａｇｅ：エチレンプロピレンジエン三元共重合体）製のローラが固定されてなり、本実施の形態では１本のローラ軸６０に４個のローラ本体６１が設けられているが、ローラ本体６１の数や位置は、搬送すべき原稿のサイズ等を考慮して適宜設定される。該搬送ローラ６のローラ本体６１間に対応する凹陥溝３１２の各位置では、前記紙送りリブ３１１が、凹嵌溝３１２の上流壁及び下流壁から溝幅を狭める方向に突出されている。
【００２０】
更に詳細に説明するに、図４に示すように、凹嵌溝３１２は、上部ガイド面３１０から垂直下方へ連続的に形成された上流壁３１２ａと、該上流壁３１２ａから所定間隔はなれて上部ガイド面３１０から垂直下方へ連続的に形成された下流壁３１２ｂと、搬送ローラ６のローラ本体６１が回転できるように該上流壁３１２ａと下流壁３１２ｂと連続させた半弧状の底部３１２ｃとからなる。このような凹陥溝３１２に搬送ローラ６が収装されることにより、ローラ本体６１の上部が上部ガイド面３１０から突出した状態となる。また、前記紙送りリブ３１１は、上流壁３１２ａ及び下流壁３１２ｂから凹陥溝３１２の内側へ突出して溝幅を狭めており、上流側及び下流側の紙送りリブ３１１間には、搬送ローラ６のローラ軸６０が挿入できる隙間が空けられている。また、上流側及び下流側の紙送りリブ３１１は、凹陥溝３１２の上流側又は下流側の上部ガイド面３１０に形成された紙送りリブ３１１と夫々連続して形成され、これにより、原稿が紙送りリブ３１１上を円滑に搬送されるようになっている。なお、底部３１２ｃにおいても紙送りリブ３１１が形成されて上流側及び下流側の紙送りリブ３１１を連続させて、上部ガイド面３１０や凹陥溝３１２等とともに一体的に成形される紙送りリブ３１１の強度を上げている。このような凹陥溝３１２に収装された搬送ローラ６は、図２に示したように、搬送路３の対向位置には配設された搬送ローラ６と圧接して上部ガイド面３１０に沿って搬送された原稿をニップし、該原稿を更に下流ヘと搬送する。
【００２１】
サイドフレーム３２は、前記ペーパガイド本体３１の両側に一体成形されたものであり、両サイドフレーム３２には、搬送ローラ６のローラ軸６０の軸受となる貫通孔３２０が夫々穿設され、該貫通孔３２０が各ローラ軸６０を夫々回転自在に支持することにより、搬送ローラ６がペーパガイド本体３１に対して所定位置に配置される。また、図には示していないが、各貫通孔３２０に夫々回転自在に挿通され各ローラ軸６０の一端には駆動ギヤが設けられ、該駆動ギヤにモータの回転が伝達されて各ローラ軸６０が夫々回転するものとなる。
【００２２】
また、前記ペーパガイド本体３１の折返し部分より下流側に配設されるガイドカバー３３，３４も、プラスチック材により夫々成形されたものであり、図５に示すように、ガイドカバー３３，３４がペーパガイド本体３１に配設されて、横向きＵ字状の搬送路の折返し部分より下流側の内側ガイド面を構成する。図には詳細に示していないが、ガイドカバー３３は、スナップフィット等によりペーパガイド本体３１に嵌着できるようになっており、該ガイドカバー３３に対して、同様にスナップフィット等によりガイドカバー３４が嵌着できるようになっている。このようにガイドカバー３３，３４を２つの部材からなるものとしたのは、搬送路の折返し部分より下流側の内側ガイド面に配設される搬送ローラの清掃等、メンテナンスの容易を考慮したものである。さらに、ガイドカバー３３にはプラテンガイド３５が嵌着されるようになっている。該プラテンガイド３５は、読取位置Ｐ１において原稿の通過位置を規制するとともに、ＣＣＤ読取ユニット８の白色基準として用いられるものである。
【００２３】
前述したように構成されたペーパガイド３０には、前記搬送ローラ６等が組み付けられて原稿押えカバー１０のカバー本体１０ａに配設される。該カバー本体１０ａは、図６に示すように、ペーパガイド３０の取付部分に開口１２が形成されており、ペーパガイド３０に沿って搬送された原稿は、該開口１２においてプラテンガラス１１上の読取位置Ｐ１を通過し、ＣＣＤ読取ユニット８により画像読取りされる。該開口１２の上流側及び下流側は、各々開口１２から上方へ向かって傾斜してガイド面１３，１４となっており、これらガイド面１３，１４が、横向きＵ字状の搬送路の折返し部分より下流側であって読取位置Ｐ１の上流及び下流の外側ガイド面を構成する。
【００２４】
前記ガイド面１３，１４には、４つの切欠部１５，１６が夫々幅方向に所定間隔で形成されており、該切欠部１５，１６に搬送ローラ６が夫々配設されてローラ本体６１の一部がガイド面１３，１４から突出するようになっている。これら搬送ローラ６が、前記ペーパガイド３０の折返し部分の下流側に配設される搬送ローラ６と対向して、原稿をニップしながら搬送する。なお、これら搬送ローラ６の配置は一例であり、搬送路の形状や距離に応じて搬送ローラ６の数や位置を適宜変更することは勿論可能である。
【００２５】
更に、前記ガイド面１４の下流側には、ＣＩＳ読取ユニット９と対向するプラテンローラ９０が配設される凹欠部１７が形成されている。プラテンローラ９０は、搬送された原稿をＣＩＳ読取ユニット９（不図示）に圧接するとともに、ＣＩＳ読取ユニット９の白色基準となるものである。また、ガイド面１４の最下流端には、前記切欠部１５，１６と同様に４つの凹欠部１８が形成されており、該凹欠部１８に排紙ローラ７が配設されている。
【００２６】
このように構成されたカバー本体１０ａのガイド面１３，１４に、前記ペーパガイド３０のガイドカバー３３，３４により構成される内側ガイド面を対向させて、ペーパガイド３０がカバー本体１０ａに固定される。前述したように、原稿カバー１０のカバー本体１０ａに、読取位置Ｐの上流及び下流の下側のガイド面となるガイド面１３，１４を一体成形することにより、カバー本体１０ａへのガイド部材の取付作業が不要となり、部品点数及び組立工数が低減される。また、図には示していないが、ペーパガイド３０が組み付けられたカバー本体１０ａに、ＡＤＦカバー１０ｂが開閉可能に配設される。
【００２７】
給紙ローラ５は、図２に示すように、搬送路３の入口付近に配設されて、原稿トレイ２から繰り込まれた原稿と圧接しながら回転することにより該原稿を搬送路３へ送り込むものであり、例えば、金属製のローラ軸にシリコン製やＥＰＤＭ製のローラが固定されてなる。さらに、該給紙ローラ５の上流側には、原稿トレイ２に載置された原稿の最上紙を繰り出すためのピックアップローラ５０が配設されている。ピックアップローラ５０も、給紙ローラ５と同様に、原稿と圧接しながら回転することにより該原稿を搬送路へ繰り込むものであり、不図示の給紙クラッチにより上下方向に揺動する揺動アーム５１に支持されている。該揺動アーム５１の揺動により、ピックアップローラ５０は、原稿トレイ２に原稿を載置する際等の通常の状態では搬送路３を開放するように上昇しており、原稿繰込み時に原稿の最上紙と接触するように降下し、ピックアップローラ５０及び給紙ローラ５が回転することにより、原稿の最上紙が搬送路ヘ繰り込まれる。なお、ピックアップローラ５０は搬送路３の内側ガイド面に接触するまで降下可能であるので、原稿枚数により原稿の束の厚さが変化しても常に最上紙と接触可能である。また、図には示していないが、前記原稿トレイ２の原稿の有無は原稿セットセンサにより検知され、該検知信号に基づいて制御手段が給紙ローラ５、ピックアップローラ５０及び揺動アーム５１の動作を制御するものとなっている。
【００２８】
一方、前記給紙ローラ５の下方には分離パッド５２が設けられている。該分離パッド５２は、原稿に対する摩擦係数が給紙ローラ５の原稿に対する摩擦係数より低く、且つ原稿同士の摩擦係数より高いものであり、例えばウレタン系樹脂で成形することが可能である。このような分離パッド５２が分離パッドホルダ５３の上面に貼設されている。該分離パッドホルダ５３は、搬送路３の内側ガイド面に揺動可能に嵌め込まれてコイルバネ５４により上方向に付勢されており、これにより、分離パッド５２が前記給紙ローラ５のローラ面に圧接され、該圧接部分を通過する原稿の厚みに応じて下方へ回動可能となっている。
【００２９】
ＣＣＤ読取ユニット８は、図１に示すように、読取載置台１５内に装備されており、読取位置Ｐ１へ光を照射する光源８０と、原稿からの反射光Ｒを所定の方向へ導くための反射ミラー８１と、反射光Ｒを収束する集光レンズ８２と、該収束光を電気信号に変換して出力する電荷結合素子（Ｃｈａｒｇｅ  Ｃｏｕｐｌｅｄ  Ｄｅｖｉｃｅ、以下「ＣＣＤ」という。）８３とを備えてなる所謂縮小光学系のＣＣＤ読取ユニットである。このように構成されたＣＣＤ読取ユニット８により、搬送路を搬送されている原稿の表面の画像を読取位置Ｐ１でスキャンし、該原稿からの反射光ＲをＣＣＤ８３へ導いて結像するものとなっている。また、ＣＣＤ読取ユニット８は、ＡＤＦを用いない場合には、読取載置台１５に載置された原稿をスキャンするためのフラットベッドスキャナの読取ユニットとして用いられる。
【００３０】
一方、ＣＩＳ読取ユニット９は、所謂密着形イメージセンサ（Ｃｏｎｔａｃｔ  Ｉｍａｇｅ  Ｓｅｎｓｏｒ、以下「ＣＩＳ」という。）を用いたものであり、図に詳細は示していないが、光源により照射された原稿からの反射光を収束性ファイバで光導電素子上に収束して読み取る固定式の読取手段である。該ＣＩＳ読取ユニット９は、前記ＣＣＤ読取ユニット８が位置する搬送路３の対向側且つ下流側に配設されており、これにより、原稿の裏面の画像を読み取る。一般に、ＣＩＳ読取ユニット９に採用されているＣＩＳは被写体深度が浅いので、前記プラテンローラ９０により原稿をニップした状態で画像読取りを行うものとしている。なお、図には示していないが、これらＣＣＤ読取ユニット８及びＣＩＳ読取ユニット９により読み取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００３１】
このように構成されたコピー・ファクシミリ複合機１により、原稿トレイ２上の原稿が、給紙ローラ５により搬送路３へ送り込まれ、搬送ローラ６により読取位置Ｐ１へ搬送されてＣＣＤ読取ユニット８により原稿の表面の画像読取りが行われ、更に搬送ローラ６により読取位置Ｐ２へ搬送されてＣＩＳ読取ユニット９により原稿の裏面の画像読取りが行われ、排紙ローラ８により排紙トレイ４へ排出されるが、以下、原稿がペーパガイド３０の上部ガイド面３１０を搬送される際の動作について詳細に説明する。
【００３２】
原稿トレイ２からピックアップローラ５０により繰り出され、給紙ローラ５及び分離パッド５２により１枚ずつ分離された原稿Ｄは、搬送路３を搬送されてペーパガイド３０の上部ガイド面３１０により構成される内側ガイド面に至る。該原稿Ｄは、図７に示すように、上部ガイド面３１０の凹陥溝３１２に収装された搬送ローラ６と、搬送路３の対向位置に配設された搬送ローラ６（不図示）によりニップされて更に下流ヘと搬送される。その際、原稿Ｄから紙粉や原稿のトナー等の塵埃が落下して凹陥溝３１２内へ侵入することがあるが、図４に示したように、凹陥溝３１２は上流壁３１２ａ、下流壁３１２ｂ及び底部３１２ｃが連続的に形成されたＵ字状の溝なので、凹嵌溝３１２内に侵入した紙粉等の塵埃は凹陥溝３１２内に蓄積され、ペーパガイド３０の内部に侵入したりプラテンガラス１１上に落下したりすることがない。よって、プラテンガラス１１の読取位置Ｐ１が紙粉やトナー等により汚されることがなく、読取画像の劣化を防止できる。また、蓄積された紙粉等の塵埃は、搬送ローラ６をペーパガイド３０から取り外すことにより容易に除去することができる。
【００３３】
また、前記凹陥溝３１２のローラ本体６１間に対応する各位置には、紙送りリブ３１１が凹嵌溝３１２の溝幅を狭める方向に突出されているので、ローラ本体６１間において原稿Ｄが凹陥溝３１２を越える距離が短くなっている。従って、原稿Ｄが普通紙のような撓み易いものであっても、紙送りリブ３１１により、凹陥溝３１２の上流壁３１２ａ及び下流壁３１２ｂより内側においても原稿Ｄの先端が案内されているので、該先端が凹陥溝３１２内に落ち込んで下流壁３１２ｂ等に当接することがなく、原稿Ｄが上部ガイド面３１０に沿って円滑に搬送される。これにより、凹嵌溝３１２における紙詰まりや原稿Ｄの破損を防止できる。特に、原稿Ｄの幅方向端部は搬送中に撓んだりばたつき易いので、図に示すように、該紙送りリブ３１１を少なくとも原稿Ｄの幅方向端部を支持する位置に設けると、該幅方向端部が凹嵌溝３１２上を円滑に案内されるので好ましい。従って、紙送りリブ３１１は、本コピー・ファクシミリ複合機１が搬送して画像読取りを行う各種サイズの原稿幅を考慮して、どのようなサイズの原稿が搬送されても、その原稿の幅方向端部を支持できるように、原稿幅方向に所定間隔で列設することが好適である。
【００３４】
なお、本実施の形態で示したコピー・ファクシミリ複合機１の構成は、本発明に係る画像読取装置の一態様にすぎず、本発明の要旨を逸脱しない範囲内で適宜設計変更できることは勿論であり、例えば、コピー機やファクシミリ機、スキャナ等の単独機としても実現可能であり、また、ＣＣＤ読取ユニット８をフラットベッドスキャナと併用せずに専用のものとしたり、各読取ユニットをＣＣＤ又はＣＩＳで統一したり、搬送路３に原稿戻し路を設けて１つのＣＣＤ読取りユニットのみで原稿の両面読取りを行うようにすることも可能である。勿論、原稿の片面読取りのみを行う画像読取装置としてもよい。
【産業上の利用可能性】
【００３５】
本発明に係る画像読取装置は、原稿トレイから自動的に読取位置へ原稿を搬送して画像読取りを行い、排紙トレイへ排出する例えばスキャナ、ファクシミリ機、複写機等として利用することができる。
【図面の簡単な説明】
【００３６】
【図１】本発明の実施の形態に係るコピー・ファクシミリ複合機１００の上部の概略構成を示す断面図である。
【図２】コピー・ファクシミリ複合機１００の上部の概略構成を示す拡大断面図である。
【図３】ペーパガイド３の構成を示す分解斜視図である。
【図４】凹陥溝３１２近傍の拡大断面図である。
【図５】ペーパガイド３の構成を示す底面図である。
【図６】カバー本体１０ａの構成を示す平面図である。
【図７】原稿Ｄが凹陥溝３１２付近を搬送される状態を示す拡大斜視図である。
【図８】コピー・ファクシミリ複合機９００の外観を示す斜視図である。
【図９】コピー・ファクシミリ複合機９００の上部の概略構成を示す断面図である。
【図１０】ペーパガイド９０８の上部ガイド面に配設された搬送ローラ９０９を示す拡大斜視図である。
【符号の説明】
【００３７】
１  コピー・ファクシミリ複合機（画像読取装置）
２  原稿トレイ
３  搬送路
４  排紙トレイ
５  給紙ローラ
６  搬送ローラ
７  排紙ローラ
３０  ペーパガイド
３１０  上部ガイド面
３１１  紙送りリブ
３１２  凹陥溝
３１２ａ  上流壁
３１２ｂ  下流壁
６０  ローラ軸
６１  ローラ本体
【図１】
2005101685.tif 000003
【図２】
2005101685.tif 000004
【図３】
2005101685.tif 000005
【図４】
2005101685.tif 000006
【図５】
2005101685.tif 000007
【図６】
2005101685.tif 000008
【図７】
2005101685.tif 000009
【図８】
2005101685.tif 000010
【図９】
2005101685.tif 000011
【図１０】
2005101685.tif 000012